(57)【要約】      （修正有）【課題】デジタルカードコネクタの提供。【解決手段】カード退出機構４が係合体４２を具え、該係合体は相互に接続され並びに所定のギャップを保持する組付けアーム４２１と係止アーム４２２を具え、そのうち組付けアームはカード退出機構のスライドロッド４０に組付けられ、該係止アームは組付けアームに対して弾性動作し、遮蔽体にストッパ５０が設けられ、デジタルカードが挿入されると、カード退出機構のスライドロッドに沿って移動し並びに係合体の係止アームがストッパまで移動して当接し、係止アームが組付けアームに対して作動不能とされ、デジタルカード一側に係止された係止アームによりデジタルカードがロックされ、デジタルカード退出操作時に解除され、デジタルカードが外力を受け挿入の反対方向の衝突を受けず、ぐらつき位置ずれを発生せず、電気信号伝送の安定を確保できる。【選択図】図１
0003108020.tif 000002
【実用新案登録請求の範囲】
【請求項１】
絶縁フレーム、カード退出機構、遮蔽体を具えてデジタルカードを直接押圧する操作によりデジタルカードが挿入と退出可能なプッシュプッシュタイプ（Ｐｕｓｈ−Ｐｕｓｈ
Ｔｙｐｅ）のデジタルカードコネクタであり、
該絶縁フレームは、本体と両側辺を具え、該本体に導電端子を収容した複数の収容溝が設けられ、両側辺に対向する挿入溝が設けられ、
該カード退出機構は、絶縁フレームの両側辺の一方に組付けられ、スライドロッド、ガイドロッド、係合体、弾性部品を具え、
該スライドロッドはデジタルカードの挿入と退出を案内する案内溝を具え、該案内溝から離れた一端に連動アームを具え、
該ガイドロッドは一端が絶縁フレームの側辺に枢設され、別端が該案内溝に沿って移動可能であり、
該係合体は相互に接続され並びにギャップを保持する組付けアームと係止アームを具え、該組付けアームが該案内溝付近に組付けられ、該係止アームが組付けアームに対して弾性移動可能とされてその端部に湾曲部を具えると共に該湾曲部の近隣にストッパ部を具え、
該弾性部品は該スライドロッドの作動後の回復力を提供し、
該遮蔽体は、絶縁フレームの一側に組付けられ、少なくとも本体及び両側辺を被覆し、そのカード退出機構に対応する一側にストッパが設けられ、それは係合体の移動後の限界点の組付けアームと係止アームのギャップの間に位置することを特徴とする、デジタルカードコネクタ。
【請求項２】
請求項１記載のデジタルカードコネクタにおいて、係合体の組付けアームと係止アームが共同で略Ｕ形体を形成することを特徴とする、デジタルカードコネクタ。
【請求項３】
請求項２記載のデジタルカードコネクタにおいて、一組のタッチスイッチが絶縁フレームの別の側辺に組付けられ、デジタルカード読み書き起動と定位まで挿入された信号の制御を提供することを特徴とする、デジタルカードコネクタ。
【請求項４】
請求項３記載のデジタルカードコネクタにおいて、タッチスイッチが同じ構造の二つのバネ片を具え、各バネ片の一端がソルダー部とされ、もう一端がフォーク状に形成されて接触部と連動部を具え、該連動部の端部に絶縁フレームのフレーム内に対して突出する凸円弧状部が設けられ、接触部は接点と不接触で、一旦連動部が挿入されたデジタルカードに圧迫される時、接触部を駆動し接点と接触させることを特徴とする、デジタルカードコネクタ。
【請求項５】
請求項４記載のデジタルカードコネクタにおいて、ストッパが遮蔽体に直接加圧形成され、その一側辺がスライドロッドの側辺に接近することを特徴とする、デジタルカードコネクタ。
【請求項６】
請求項５記載のデジタルカードコネクタにおいて、遮蔽体が方形体とされ、本体及び両側辺が囲んで成る方形領域を被覆することを特徴とする、デジタルカードコネクタ。
【請求項７】
請求項６記載のデジタルカードコネクタにおいて、カード退出機構の案内溝付近に接地バネ片が設けられたことを特徴とする、デジタルカードコネクタ。
【請求項８】
請求項７記載のデジタルカードコネクタにおいて、スライドロッドの連動アームがデジタルカードの一側の斜角と係合する角度を呈して誤挿入防止を行なうことを特徴とする、デジタルカードコネクタ。
【請求項９】
請求項８記載のデジタルカードコネクタにおいて、弾性部品が圧縮バネとされたことを特徴とする、デジタルカードコネクタ。
【請求項１０】
請求項９記載のデジタルカードコネクタにおいて、組付けアームに干渉体が設けられて干渉体がスライドロッドに設けられた組付け溝に組付けられることを特徴とする、デジタルカードコネクタ。
【請求項１１】
請求項１０記載のデジタルカードコネクタにおいて、遮蔽体と絶縁フレームの組付けが、絶縁フレームの両側辺の係止体と、遮蔽体の対応部分の係止溝の係合によることを特徴とする、デジタルカードコネクタ。
【請求項１２】
請求項１１記載のデジタルカードコネクタにおいて、遮蔽体にあってカード退出機構のガイドロッドに対応して押さえ片が設けられたことを特徴とする、デジタルカードコネクタ。
【考案の詳細な説明】
【技術分野】
【０００１】
本考案はデジタルカードコネクタに係り、更に詳しくはデジタルカードとマザーボード間の電気信号の伝送に用いられ、且つデジタルカードの挿入と退出を直接該デジタルカードを押圧する操作（Ｐｕｓｈ−Ｐｕｓｈ  Ｔｙｐｅ）で行なえるデジタルカードコネクタに関する。
【背景技術】
【０００２】
デジタルカードの構造種類は非常に多く、本発明と関係する構造には特許文献１があり、それにはデジタルカードの挿入と退出が直接デジタルカードを押圧することで操作されるもの（Ｐｕｓｈ−Ｐｕｓｈ  Ｔｙｐｅ）が記載されている。その構造は、導電端子を具えた絶縁フレーム、絶縁フレームに組付けられてデジタルカードの挿入と退出に用いられるカード退出機構、及び絶縁フレーム外周面を被覆する遮蔽体を具えている。ただし、そのうち該カード退出機構はデジタルカードの挿入及び退出時の案内を行なうが、デジタルカード挿入時のロック位置決めの機能を具備せず、更に述べると、該デジタルカード挿入時に悪い作業環境或いは挿入の反対方向の衝突の外力を受ける時、デジタルカードがぐらつき位置ずれして導電端子が確実に接触できなくなり、このため、電気信号伝送が不安定となり、更には導電端子の不当な摩損を形成することがある。
【０００３】
【特許文献１】米国特許第６，５２０，７８４号明細書
【考案の開示】
【考案が解決しようとする課題】
【０００４】
本考案はデジタルカードコネクタを提供することを目的とし、それはデジタルカードの挿入と退出時の案内機能を具え、且つデジタルカード挿入後のロック位置決め効果を具え、且つロック解除はデジタルカード退出の操作によらねば達成できず、これにより、挿入と反対方向の外力の衝突を受けても、ぐらつき位置ずれを発生することがなく、電気信号伝送の安定を確保できるものとする。
【課題を解決するための手段】
【０００５】
請求項１の考案は、絶縁フレーム、カード退出機構、遮蔽体を具えてデジタルカードを直接押圧する操作によりデジタルカードが挿入と退出可能なプッシュプッシュタイプ（Ｐｕｓｈ−Ｐｕｓｈ  Ｔｙｐｅ）のデジタルカードコネクタであり、
該絶縁フレームは、本体と両側辺を具え、該本体に導電端子を収容した複数の収容溝が設けられ、両側辺に対向する挿入溝が設けられ、
該カード退出機構は、絶縁フレームの両側辺の一方に組付けられ、スライドロッド、ガイドロッド、係合体、弾性部品を具え、
該スライドロッドはデジタルカードの挿入と退出を案内する案内溝を具え、該案内溝から離れた一端に連動アームを具え、
該ガイドロッドは一端が絶縁フレームの側辺に枢設され、別端が該案内溝に沿って移動可能であり、
該係合体は相互に接続され並びにギャップを保持する組付けアームと係止アームを具え、該組付けアームが該案内溝付近に組付けられ、該係止アームが組付けアームに対して弾性移動可能とされてその端部に湾曲部を具えると共に該湾曲部の近隣にストッパ部を具え、
該弾性部品は該スライドロッドの作動後の回復力を提供し、
該遮蔽体は、絶縁フレームの一側に組付けられ、少なくとも本体及び両側辺を被覆し、そのカード退出機構に対応する一側にストッパが設けられ、それは係合体の移動後の限界点の組付けアームと係止アームのギャップの間に位置することを特徴とする、デジタルカードコネクタとしている。
請求項２の考案は、請求項１記載のデジタルカードコネクタにおいて、係合体の組付けアームと係止アームが共同で略Ｕ形体を形成することを特徴とする、デジタルカードコネクタとしている。
請求項３の考案は、請求項２記載のデジタルカードコネクタにおいて、一組のタッチスイッチが絶縁フレームの別の側辺に組付けられ、デジタルカード読み書き起動と定位まで挿入された信号の制御を提供することを特徴とする、デジタルカードコネクタとしている。
請求項４の考案は、請求項３記載のデジタルカードコネクタにおいて、タッチスイッチが同じ構造の二つのバネ片を具え、各バネ片の一端がソルダー部とされ、もう一端がフォーク状に形成されて接触部と連動部を具え、該連動部の端部に絶縁フレームのフレーム内に対して突出する凸円弧状部が設けられ、接触部は接点と不接触で、一旦連動部が挿入されたデジタルカードに圧迫される時、接触部を駆動し接点と接触させることを特徴とする、デジタルカードコネクタとしている。
請求項５の考案は、請求項４記載のデジタルカードコネクタにおいて、ストッパが遮蔽体に直接加圧形成され、その一側辺がスライドロッドの側辺に接近することを特徴とする、デジタルカードコネクタとしている。
請求項６の考案は、請求項５記載のデジタルカードコネクタにおいて、遮蔽体が方形体とされ、本体及び両側辺が囲んで成る方形領域を被覆することを特徴とする、デジタルカードコネクタとしている。
請求項７の考案は、請求項６記載のデジタルカードコネクタにおいて、カード退出機構の案内溝付近に接地バネ片が設けられたことを特徴とする、デジタルカードコネクタとしている。
請求項８の考案は、請求項７記載のデジタルカードコネクタにおいて、スライドロッドの連動アームがデジタルカードの一側の斜角と係合する角度を呈して誤挿入防止を行なうことを特徴とする、デジタルカードコネクタとしている。
請求項９の考案は、請求項８記載のデジタルカードコネクタにおいて、弾性部品が圧縮バネとされたことを特徴とする、デジタルカードコネクタとしている。
請求項１０の考案は、請求項９記載のデジタルカードコネクタにおいて、組付けアームに干渉体が設けられて干渉体がスライドロッドに設けられた組付け溝に組付けられることを特徴とする、デジタルカードコネクタとしている。
請求項１１の考案は、請求項１０記載のデジタルカードコネクタにおいて、遮蔽体と絶縁フレームの組付けが、絶縁フレームの両側辺の係止体と、遮蔽体の対応部分の係止溝の係合によることを特徴とする、デジタルカードコネクタとしている。
請求項１２の考案は、請求項１１記載のデジタルカードコネクタにおいて、遮蔽体にあってカード退出機構のガイドロッドに対応して押さえ片が設けられたことを特徴とする、デジタルカードコネクタとしている。
【考案の効果】
【０００６】
本考案はデジタルカードコネクタを提供し、それはデジタルカードの挿入と退出時の案内機能を具え、且つデジタルカード挿入後のロック位置決め効果を具え、且つロック解除はデジタルカード退出の操作によらねば達成できず、これにより、挿入と反対方向の外力の衝突を受けても、ぐらつき位置ずれを発生することがなく、電気信号伝送の安定を確保できる。
【考案を実施するための最良の形態】
【０００７】
上述の目的を達成するため、本考案のデジタルカードコネクタの特徴として、デジタルカードコネクタのカード退出機構に更に係合体が設けられ、該係合体は相互に接続され並びに所定ギャップを保持する組付けアームと係止アームを具え、そのうち、組付けアームはカード退出機構のスライドロッドに組付けられ、該係止アームは組付けアームに対して弾性作動し、その端部に湾曲部が設けられてデジタルカードに保留された係止溝を係止でき、且つ湾曲部の近隣にストッパ部が設けられている。このような構造により、デジタルカードがデジタルカードコネクタに挿入される時、係止アームの湾曲部がデジタルカードに保留された係止溝を係止し、これによりスライドロッドがデジタルカードの推移に連動して移動し、デジタルカードが定位に挿入された後、該係止アームのストッパ部が既定位置に推移される。
【０００８】
上述の特徴において、デジタルカードコネクタの遮蔽体にあってストッパ部が推移される既定位置に対応する部分にストッパが設けられ、該ストッパは組付けアームと係止アームのギャップの間に位置し、デジタルカードが定位に挿入された後、係止アームのストッパ部が推移されて遮蔽体のストッパと接触し、係止アームが組付けアームに対して弾性動作不能とされ、これにより係止アームの湾曲部がデジタルカードの係止溝との係止を離脱不能で、ゆえにデジタルカードがロック位置決めされる。カード退出機構によりデジタルカードが退出させられる時、係止アームのストッパ部が推移され遮蔽体のストッパ片との接触より離れ、これにより該係止アームが組付けアームに対して弾性作動可能となり、デジタルカードの取り出し可能となる。
【実施例１】
【０００９】
図１に示されるように、本考案のデジタルカードコネクタ１は、絶縁フレーム２、導電端子３、カード退出機構４、遮蔽体５の主要構造を具備する。
【００１０】
該絶縁フレーム２は、本体２０と両側辺２１、２２を具え、該本体２０に導電端子３を収容する複数の収容溝２０１が設けられている。両側辺２１、２２に対向する挿入溝２３が設けられてデジタルカードの挿入に供される。また、側辺２１にデジタルカード読み書き起動と定位まで挿入された信号を制御する一組のタッチスイッチ６が設けられ、該タッチスイッチ６は同じ構造の二つのバネ片６０を具え、各バネ片６０の一端がソルダー部６０１とされ、もう一端がフォーク状に形成されて接触部６０２と連動部６０３を具え、該連動部６０３の端部に絶縁フレームのフレーム内に対して突出する凸円弧状部６０４が設けられ、接触部６０２は接点６０５、６０６と不接触で、即ち、組付け後に該接触部６０２は接点６０５、６０６と不接触（図６）であり、一旦連動部６０３が挿入されたデジタルカード７に圧迫されると、接触部６０２を駆動し接点６０５、６０６と接触させる（図７）。また、側辺２２の前端に嵌め溝２４が設けられて接地バネ片２５を組付けるのに用いられる。
【００１１】
カード退出機構４は絶縁フレーム２の側辺２２に組付けられ、スライドロッド４０、ガイドロッド４１、係合体４２、弾性部品４３を具え、そのうち、スライドロッド４０にデジタルカードの挿入と退出を案内する案内溝４０１が設けられ、案内溝４０１から離れた一端に連動アーム４４が設けられ、それはスライドロッド４０の端部より直接延伸されてデジタルカードの一側の斜角と係合可能な角度を呈し、誤挿入を防止するために設けられている。該ガイドロッド４１の一端４１１は絶縁フレーム２の側辺２２に枢設され（図６、７）、もう一端４１２は該案内溝４０１に沿って移動する。該係合体４２は、相互に接続され並びに所定ギャップを保持する組付けアーム４２１と係止アーム４２２を具え、両者は共同で略Ｕ形体を形成し、そのうち、組付けアーム４２１に干渉体４２３が設けられてスライドロッド４０の組付け溝４０２に組付けられる。係止アーム４２２は組付けアーム４２１に対して弾性作動可能で、その端部に湾曲部４２４が設けられてデジタルカードの係止溝（図７中符号７０で表示）と係合する。且つ、該湾曲部４２４近くにストッパ部４２５が設けられている。該弾性部品４３は圧縮バネとされ、スライドロッド４０の作動後の回復力を提供する。
【００１２】
該遮蔽体５は、方形で絶縁フレーム２の本体２０及び両側辺２１、２２が囲んでなる方形領域を被覆し、そのカード退出機構に対応する一側に一体にストッパ５０が形成され、該ストッパ５０は係合体４２の移動後の限界点の組付けアーム４２１と係止アーム４２２のギャップの間に位置する（図４）。また、該遮蔽体５にカード退出機構のガイドロッド４１に対応し更に押さえ片５２が設けられてガイドロッド４１の作動を安定させられる。
【００１３】
図２、３に示されるように、本考案を組み立てる時は、順に導電端子３を収容溝２０１内に組付け、並びにカード退出機構４のスライドロッド４０、ガイドロッド４１、係合体４２、弾性部品４３、及びタッチスイッチ６がそれぞれ組付け、位置決めされ、即ち図２に示されるようになる。該遮蔽体５の側辺の係止溝５１と絶縁フレーム２両側辺２１、２２の係止体２６が係合されて、図３のように組立完成する。
【００１４】
図６、７に図４、５を合わせて参照されたい。デジタルカード７が本考案のデジタルカードコネクタ１に挿入されるとき、図６に示されるように、該デジタルカード７の両側は係止アーム４２２の湾曲部４２４と係合し（この時、該係止アーム４２２は図の右方向に向けて弾性作動し、即ち、ストッパ部４２５はストッパ５０と未接触である）、及びバネ片６０の連動部６０３の凸円弧状部６０４を圧迫する（この時読み書き電源は未連通である）。デジタルカード７が定位まで挿入された後、図７に示されるように、ストッパ部４２５はストッパ５０に圧接され、この時、係止アーム４２２は右方向に弾性移動不能であり、デジタルカード７は取り出し不能であり、デジタルカード７退出操作を行なわねばこの状態を解除できない。これにより、デジタルカード７が定位まで挿入された後は、外力で挿入の反対方向の衝突を受けてもぐらついて位置ずれを発生することがなく、電気信号の伝送の安定を確保できる。また、デジタルカード７の別側もバネ片６０の接触部６０２が連動部６０３により圧迫されるため、前後の接触部６０２がそれぞれ接点６０５、６０６と接触し、電源が導通し、読み書き起動と定位まで挿入の信号制御が完成する。
【００１５】
以上のように本考案は確実に予期された目的を完成し、実用新案登録の要件に符合する。なお、以上の実施例に基づきなしうる細部の修飾或いは改変は、いずれも本考案の請求範囲に属する。
【図面の簡単な説明】
【００１６】
【図１】本考案のデジタルカードコネクタの立体分解図である。
【図２】図１の局部及び全体の組合せ図である。
【図３】図１の局部及び全体の組合せ図である。
【図４】本考案のデジタルカードコネクタの局部断面図である。
【図５】本考案のデジタルカードコネクタの局部断面図である。
【図６】本考案のデジタルカードが挿入時にロック位置決めされる動作表示図である。
【図７】本考案のデジタルカードが挿入時にロック位置決めされる動作表示図である。
【符号の説明】
【００１７】
１  デジタルカードコネクタ                ２  絶縁フレーム
３  導電端子                              ４  カード退出機構
５  遮蔽体                                ６  タッチスイッチ
７  デジタルカード                        ２０  本体
２１、２２  側辺                          ２３  挿入溝
２４  嵌め溝                              ２５  接地バネ片
２６  係止体                              ４０  スライドロッド
４１  ガイドロッド                        ４２  係合体
４３  弾性部品                            ４４  連動アーム
４０１  案内溝                            ４１１  一端
４１２  もう一端                          ４２１  組付けアーム
４２２  係止アーム                        ４２３  干渉体
４２４  湾曲部                            ４２５  ストッパ部
５０  ストッパ                            ５１  係止溝
５２  押さえ片                            ６０  バネ片
６０１  ソルダー部                        ６０２  接触部
６０３  連動部                            ６０４  凸円弧状部
６０５、６０６  接点                      ７０  係止溝
【図１】
0003108020.tif 000003
【図２】
0003108020.tif 000004
【図３】
0003108020.tif 000005
【図４】
0003108020.tif 000006
【図５】
0003108020.tif 000007
【図６】
0003108020.tif 000008
【図７】
0003108020.tif 000009